(57)【要約】【課題】流水装置の水槽の水側にポンプや光源などの電気関連部品を内蔵した本体が配置されているため、電気部品が水に接触する可能性が高く、安全性の点で課題があり、また電気部品関連の安全性確保のためその構造が複雑になるという課題があった。【解決手段】従来の課題を解決するために、本発明の流水装置は、給水手段２１・照明手段２５・制御手段２６の電気関連部品を台座１３の水受け部１１の水とは反対側に配置したものである。これにより電気関連部品が誤って水に触れることがなく、また電気関連部品の完璧な防水構造化の必要がなく構造的にも簡略化できることとなる。【選択図】図３
2005178018.tif 000002
【特許請求の範囲】
【請求項１】
第一の隔壁の上部に水受け部と下部に収納部とを備えた全体または一部が光透過性を有する台座と、第二の隔壁の上部にタンク部と下部に空間部を備えた全体または一部が光透過性を有する容器と、ポンプ部とモータ部を備え水受け部内の水をタンク部の開口部からオーバーフローさせる給水手段と、オーバーフローした流水に接する光透過性を有する整流板と、前記台座の下部の収納部に収納され水受け部内を照らす照明手段と、前記台座の下部の収納部に収納され前記給水手段と前記照明手段とを制御する制御手段とを備え、前記台座の下部の収納部に収納され前記給水手段のポンプ部は前記台座の水受け部に、モータ部は前記台座の下部の収納部にそれぞれ装着し、モータ部の回転を磁気によりポンプ部に伝達し、ポンプ部には吸水口と送水口を有し、送水口をタンク部下部に連通させ、前記容器下部の空間部は前記台座の水受け部に連通させた流水装置。
【請求項２】
第一の隔壁の上部に水受け部と下部に収納部とを備えた全体または一部が光透過性を有する台座と、第二の隔壁の上部にタンク部と下部に空間部を備えた全体または一部が光透過性を有する容器と、台座の下部収納部に収納された全体または一部が光透過性を有する制御ボックスと、ポンプ部とモータ部を備え水受け部内の水をタンク部の開口部からオーバーフローさせる給水手段と、オーバーフローした流水に接する光透過性を有する整流板と、前記制御ボックスに収納され水受け部内を照らす照明手段と、前記制御ボックスに収納され前記給水手段と前記照明手段とを制御する制御手段とを備え、前記給水手段のポンプ部は前記台座の水受け部に、モータ部は前記制御ボックス内にそれぞれ装着され、モータ部の回転を磁気によりポンプ部に伝達し、ポンプ部には吸水口と送水口を有し、送水口をタンク部下部に連通させ、前記容器下部の空間部は前記台座の水受け部に連通させ、前記台座を着脱可能とした流水装置。
【請求項３】
整流板は、形状の異なる複数枚を重ねた請求項１または２に記載の流水装置。
【請求項４】
形状の異なる複数の整流板を自由にレイアウト可能とした請求項１〜３のいずれか１項に記載の流水装置。
【請求項５】
容器を着脱可能とした請求項１〜４のいずれか１項に記載の流水装置。
【請求項６】
給水手段のポンプ部を着脱自在にした請求項１〜５のいずれか１項に記載の流水装置。
【請求項７】
照明手段は、整流板やオーバーフローした流水を照らす請求項１〜６のいずれか１項に記載の流水装置。
【請求項８】
台座の水受け部にフリースペースを有する請求項１〜７のいずれか１項に記載の流水装置。
【請求項９】
給水手段の流量調整操作部を有する請求項１〜８のいずれか１項に記載の流水装置。
【発明の詳細な説明】
【技術分野】
【０００１】
本発明は一般家庭で使用する水の循環水流を光で演出して楽しむ流水装置に関するものである。
【背景技術】
【０００２】
従来、この種の流水装置は、水槽内の水をポンプで本体上部の前端部より落流させ、その水に光を当て落流を光で演出して楽しむものがあった（例えば、特許文献１参照）。
【０００３】
図１１は特許文献１に記載された従来の流水装置を示すものである。
【０００４】
図１１に示すように、流水装置１は、水槽２内に設置された本体３と、この本体３には水槽２内の水を本体３の上室４まで汲み上げるポンプ５と、このポンプ５により汲み上げられた水を前端６から水槽２に落流させる水路７と、落流の背後に設けた光透過性の背板８と、この背板８を通して落流を後方から照らす光源９とから構成されている。
【特許文献１】登録実用新案第３０２１９０２号公報
【発明の開示】
【発明が解決しようとする課題】
【０００５】
しかしながら、前記従来の構成では、水槽２の水側にポンプ５や光源９などの電気部品を内蔵した本体３が配置されているため、電気部品が水に接触する可能性が高く、安全性の点で課題があり、また電気部品の安全性確保のためその構造が複雑になるという課題があった。
【０００６】
本発明は、上記従来の課題を解決するもので、電気関連部品をすべて水とは反対側に配置し安全性に優れ、構造的にも簡略化した流水装置の提供を目的とする。
【課題を解決するための手段】
【０００７】
従来の課題を解決するために、本発明の流水装置は、給水手段・照明手段・制御手段の電気関連部品を水とは反対側に配置したものである。これにより電気関連部品が誤って水に触れることがなく、また構造的にも簡略化できる。
【発明の効果】
【０００８】
本発明の給湯装置は、電気関連部品が誤って水に触れることがないので安全性に優れ、さらに、電気部品の完璧な防水構造化を行う必要がないため、構造的にも簡略化できる流水装置を提供することができる。
【発明を実施するための最良の形態】
【０００９】
第１の発明は、第一の隔壁の上部に水受け部と下部に収納部とを備えた全体または一部が光透過性を有する台座と、第二の隔壁の上部にタンク部と下部に空間部を備えた全体または一部が光透過性を有する容器と、ポンプ部とモータ部を備え水受け部内の水をタンク部の開口部からオーバーフローさせる給水手段と、オーバーフローした流水に接する光透過性を有する整流板と、前記台座の下部の収納部に収納され水受け部内を照らす照明手段と、前記台座の下部の収納部に収納され前記給水手段と前記照明手段とを制御する制御手段とを備え、前記給水手段のポンプ部は前記台座の水受け部に、モータ部は前記台座の下部の収納部にそれぞれ装着し、モータ部の回転を磁気によりポンプ部に伝達し、ポンプ部には吸水口と送水口を有し、送水口をタンク部下部に連通させ、前記容器下部の空間部は前記台座の水受け部に連通させたことにより、給水手段・照明手段・制御手段の電気関連部品を水とは反対側に配置でき、これにより電気関連部品が誤って水に触れることがなくなり、安全性に優れ、さらに、電気部品の完璧な防水構造化を行う必要がないため、構造的にも簡略化できる流水装置を提供することができる。
【００１０】
第２の発明は、第一の隔壁の上部に水受け部と下部に収納部とを備えた全体または一部が光透過性を有する台座と、第二の隔壁の上部にタンク部と下部に空間部を備えた全体または一部が光透過性を有する容器と、台座の下部収納部に収納された全体または一部が光透過性を有する制御ボックスと、ポンプ部とモータ部を備え水受け部内の水をタンク部の開口部からオーバーフローさせる給水手段と、オーバーフローした流水に接する光透過性を有する整流板と、前記制御ボックスに収納され水受け部内を照らす照明手段と、前記制御ボックスに収納され前記給水手段と前記照明手段とを制御する制御手段とを備え、前記給水手段のポンプ部は前記台座の水受け部に、モータ部は前記制御ボックス内にそれぞれ装着され、モータ部の回転を磁気によりポンプ部に伝達し、ポンプ部には吸水口と送水口を有し、送水口をタンク部下部に連通させ、前記容器下部の空間部は前記台座の水受け部に連通させ、前記台座を着脱可能とすることにより、第１の発明の効果に加え、台座を着脱可能にすることで台座が丸洗いでき、お手入れ性に優れた流水装置を提供することができる。
【００１１】
第３の発明は、特に、第１または第２の発明の流水装置の、整流板を、形状の異なる複数枚を重ねた構成とすることで、複数の整流板の端面部で流水及び流水音に自然な変化を生じさせ、観賞者を一層楽しませることができる流水装置を提供することができる。
【００１２】
第４の発明は、特に、第１〜第３のいずれか１つの発明の流水装置の、形状の異なる複数の整流板を自由にレイアウト可能としたことにより、流水及び流水音を自分好みに変化させることができ、観賞者をより一層楽しませることができる流水装置を提供することができる。
【００１３】
第５の発明は、特に、第１〜第４のいずれか１つの発明の流水装置の、容器を着脱可能とした構成とすることで、容器単独で汚れを簡単に手入れができ、お手入れ性に優れた流水装置を提供することができる。
【００１４】
第６の発明は、特に、第１〜第５のいずれか１つの発明の流水装置の、給水手段のポンプ部を着脱自在にした構成とすることで、ポンプ部の汚れを単独で簡単に手入れができ、お手入れ性に優れた流水装置を提供することができる。
【００１５】
第７の発明は、特に、第１〜第６のいずれか１つの発明の流水装置の、照明手段は、主に整流板やオーバーフローした流水を照らす構成とすることで、整流板に当たって流れが変化する流水を主体に、観賞者を楽しませることができる流水装置を提供することができる。
【００１６】
第８の発明は、特に、第１〜第７のいずれか１つの発明の流水装置の、台座の水受け部にフリースペースを構成することで、観賞者の好みに応じて光透過性を有する各種の置物などを自由に置くことで、自分好みに演出することができ、観賞者をさらに楽しませることができる流水装置を提供することができる。
【００１７】
第９の発明は、特に、第１〜第８のいずれか１つの発明の流水装置の、流水手段の流量調節操作部を有する構成とすることで、自分の好みに合った流水の流れの変化を自分好みに調整できるので、観賞者をさらに楽しませることができる流水装置を提供することができる。
【００１８】
以下、本発明の実施の形態について、図面を参照しながら説明する。なお、本実施の形態によって本発明が限定されるものではない。
【００１９】
（実施の形態１）
図１〜５は、本発明の第１の実施の形態における、流水装置を示すものである。
【００２０】
図１〜５において、第一の隔壁１０の上部に水受け部１１と下部に収納部１２とを備えた全体または一部が光透過性を有する部材で構成された台座１３と、第二の隔壁１４の上部にタンク部１５と下部に空間部１６を備えた全体または一部が光透過性を有する部材で構成された容器１７と、ポンプ部１８とモータ部１９を備え水受け部１１内の水をタンク部１５の開口部２０からオーバーフローさせる給水手段２１と、オーバーフローした流水に接する光透過性の部材で構成された整流板２２と、整流板２２を支持し整流板２２の枚数に応じて変形する弾性体２３を有する支持体２４と、台座１３の下部の収納部１２に収納され水受け部１１内を照らす複数色の照明手段２５と、給水手段２１と照明手段２５の動作を制御する制御手段２６と、給水手段２１のポンプ部１８は第一の磁石２７を有するインペラー２８を回動自在に内蔵され台座１３の水受け部１１に、モータ部１９は第二の磁石２９を有し台座１３の下部の収納部１２モータ支持体３０によりそれぞれ装着し、モータ部１９の回転を第一の磁石２７と第二の磁石２９の磁気結合によりポンプ部１８に伝達し、ポンプ部１８には吸水口３１と送水口３２を有し、送水口３２をタンク部１５下部のパッキン３３により液密に連通させ、容器１７下部の空間部１６は台座１３の水受け部１１に切欠部３４と空気穴３５により連通させ、台座１３の側面部３６には表示操作部３７を有し、給水手段２１の流量調節操作部３８・照明手段２５のライトの色選択スイッチ３９・電源の入り切り及びタイマー選択スイッチ４０等を有する構成としている。
【００２１】
以上のように構成された流水装置において、以下にその動作・作用を説明する。
【００２２】
まず、水受け部１１に所定の水位Ａまで水を入れ、給水手段２１を動作させると容器１７のタンク１５内に水が送られ、やがて開口部２０から水が溢れ、落流水は整流板２２の端部にあたり、流れが変化しながら流れ落ち、その水は容器１７の切欠部３４から再度ポンプ部の吸水口３１に取込まれ循環する。このときの水位は水位Ｂまで下がっている。
【００２３】
制御手段２６には、給水手段２１の流量調節機能や照明手段２５のライトの色選択機能や給水手段２１と照明手段２５の駆動時間を制御するタイマー機能等を有している。
【００２４】
以上のように、水受け部１１の水と、給水手段２１のモータ部１８・照明手段２５・制御手段２６の電気部品とが第一の隔壁１０により確実に仕切られているので、水による電気部品の故障や感電などを及ぼす心配がなく、安全性に優れた流水装置を提供することができる。
【００２５】
また、電気部品関係に完璧な防水構造を行う必要がなく構造的に簡略化することもできる。
【００２６】
（実施の形態２）
図６〜９は、本発明の第２の実施の形態における、流水装置を示すものである。
【００２７】
図６〜９において、第一の隔壁１０の上部に水受け部１１と下部に収納部１２とを備えた全体または一部が光透過性を有する部材で構成された台座１３と、第二の隔壁１４の上部にタンク部１５と下部に空間部１６を備えた全体または一部が光透過性を有する部材で構成された容器１７と、台座１３の下部収納部１２に収納された制御ボックス４１と、ポンプ部１８とモータ部１９を備え水受け部１１内の水をタンク部１５の開口部２０からオーバーフローさせる給水手段２１と、オーバーフローした流水に接する光透過性の部材で構成された整流板２２と、制御ボックス４１内に収納され水受け部１１内を照らす照明手段２５と、制御ボックス４１に収納され給水手段２１と照明手段２５の動作を制御する制御手段２６とを有し、制御手段２６には、給水手段２１の流量調節機能や照明手段２５のライトの色選択機能や給水手段２１と照明手段２５の駆動時間を制御するタイマー機能等を有している。
【００２８】
給水手段２１のポンプ部１８は第一の磁石２７を有するインペラー２８を回動自在に内蔵され台座１３の水受け部１１に、モータ部１９は第二の磁石２９を有し台座１３の下部の収納部１２モータ支持体３０により制御ボックス４１内にそれぞれ装着され、モータ部１９の回転を第一の磁石２７と第二の磁石２９で磁気によりポンプ部１８に伝達し、ポンプ部１８には吸水口３１と送水口３２を有し、送水口３２をタンク部１５下部にパッキン３３により液密に連通させ、容器１７下部の空間部１６は台座１３の水受け部１１に連通させ、台座１３を制御ボックス４１から着脱可能とする構成としている。
【００２９】
以上のように構成された流水装置において、その動作・作用は実施の形態１と基本的に同じで、モータ部１９の回転を第一の磁石２７と第二の磁石２９で磁気によりポンプ部１８に伝達するときに台座１３の第一の隔壁１０と制御ボックス４１の壁を介して伝達している。
【００３０】
以上のように、台座１３を制御ボックス４１から着脱可能な構成としているので台座１３が単独で丸洗いでき、お手入れ性に優れた流水装置を提供することができる。
【００３１】
（実施の形態３）
同じく図４は、本発明の第３の実施の形態における、流水装置の側面の全断面図を示すものである。
【００３２】
図４において、整流板２２は、形状の異なる（図示のような異なる形状）複数枚を重ね、整流板２２の枚数に応じて変形する弾性体２３を有し所定の最大枚数以下の枚数であれば、枚数に関係なく常に整流板２２を容器１７側に付勢し支持する支持体２４とから構成としている。
【００３３】
以上のような構成において、その動作・作用は実施の形態１と基本的に同じで、複数枚数の整流板２２を重ねることで不規則な形状の整流板２２の特に端面が落流水に触れることでより一層変化に富んだ流水が演出できる。
【００３４】
（実施の形態４）
図１０は、本発明の第４の実施の形態における、流水装置の整流板２２の代表的な４つのレイアウト図の例を示すものである。
【００３５】
図４・図１０において、整流板２２は整流板Ａ４２・整流板Ｂ４３・整流板Ｃ４４・整流板Ｄ４５・整流板Ｅ４６・整流板Ｆ４７の複数枚からなり、それぞれが着脱自在となり、支持体２４により容器１７側に付勢されている。図１０の４つの代表例のように、整流板２２を自由にレイアウトできる構成としている。
【００３６】
以上のように構成された流水装置において、複数の整流板２２を着脱自在とし、自由にレイアウトできる構成としているので、鑑賞者がさらに自分好みに自由にレイアウトでき、さらにより一層変化に富んだ流水が演出できる。
【００３７】
（実施の形態５）
図３は、本発明の第５の実施の形態における、流水装置の正面の全断面図を示すものである。
【００３８】
図３において、台座１３の水受け部１１に容器１７を配し、この容器１７を台座１３から着脱自在になるように構成している。
【００３９】
容器１７は、台座１３のリブＡ４８とリブＢ４９により位置決めされ、さらに着脱自在となっている。
【００４０】
以上のように構成された流水装置において、容器１７を台座１３から着脱自在になるように構成しているので、容器１７単独で丸洗いでき、手入れ性に優れた流水装置が提供できる。
【００４１】
（実施の形態６）
同じく図３は、本発明の第６の実施の形態における、流水装置の正面の全断面図を示すものである。
【００４２】
図３において、台座１３の水受け部１１側に装着した給水装置のポンプ部１８を台座１３から着脱自在に構成している。
【００４３】
以上のように構成された流水装置において、ポンプ部１８を台座１３から着脱自在に構成しているので、ポンプ部１８単独で丸洗いでき、さらに、手入れ性に優れた流水装置が提供できる。
【００４４】
（実施の形態７）
図４は、本発明の第７の実施の形態における、流水装置の側面の全断面図を示すものである。
【００４５】
図４において、照明手段２５を主に整流板２２（特に端面）とオーバーフローした流水を照らす構成としている。
【００４６】
以上のように構成された流水装置において、照明手段２５を主に整流板２２（特に端面）とオーバーフローした流水を照らす構成としているので、複数の整流板２２の端面で落下流水が複雑に変化しながら流れるとともに照明手段２５により照らされた整流板２２の端面が光り、非常に幻想的な空間の演出ができ、さらに楽しむことができる。
【００４７】
（実施の形態８）
図４は、本発明の第８の実施の形態における、流水装置の全体断面図を示すものである。
【００４８】
図４において、台座１３の水受け部１１の容器１７の前方部にフリースペース５０として空間を確保した構成としている。
【００４９】
以上のように構成された流水装置において、台座１３の水受け部１１の容器１７の前方部にフリースペース５０を設けているので、鑑賞者が自分好みの、例えば光透過性を有する円柱・角柱・三角柱、魚の置物、石などのいろいろなものを自由に置くことができ、さらに自分好みの演出で楽しむことができる。
【００５０】
（実施の形態９）
図１・図６は、本発明の第９の実施の形態における、流水装置の操作表示部３７を示すものである。
【００５１】
図１・図６において、流水の流量を連続的に可変できる流量調整操作部３８を設けている。
【００５２】
以上のように構成された流水装置において、流水の流量を連続的に可変できる流量調整操作部３８を設けているので、例えば、整流板２２を自由にレイアウト変更した後の流量を最適に調整することが可能であり、また、流水量の調整により落流水音の調整もでき、自分好みの落流水音に設定できる。
【図面の簡単な説明】
【００５３】
【図１】本発明の実施の形態１・９における流水装置の全体斜視図
【図２】本発明の実施の形態１における流水装置の正面図
【図３】本発明の実施の形態１・５・６における流水装置の正面の全断面図
【図４】本発明の実施の形態１・３・７・８における流水装置の側面の全断面図
【図５】本発明の実施の形態１における流水装置の表示操作部の詳細図
【図６】本発明の実施の形態２・９における流水装置の全体斜視図
【図７】本発明の実施の形態２における流水装置の正面図
【図８】本発明の実施の形態２・５における流水装置の正面の全断面図
【図９】本発明の実施の形態２における流水装置の側面の全断面図
【図１０】（ａ）整流板の上部傾斜方向を互い違いにレイアウトした本発明の実施の形態４における流水装置の整流板のレイアウト図（ｂ）整流板の左右位置をランダムにレイアウトした本発明の実施の形態４における流水装置の整流板のレイアウト図（ｃ）整流板の上部傾斜方向を同一方向にレイアウトした本発明の実施の形態４における流水装置の整流板のレイアウト図（ｄ）整流板の枚数を減らしてレイアウトした本発明の実施の形態４における流水装置の整流板のレイアウト図
【図１１】従来の流水装置の全体図
【符号の説明】
【００５４】
１０  第一の隔壁
１１  水受け部
１２  収納部
１３  台座
１４  第二の隔壁
１５  タンク部
１６  空間部
１７  容器
１８  ポンプ部
１９  モータ部
２０  開口部
２１  給水手段
２２  整流板
２５  照明手段
２６  制御手段
３１  吸水口
３２  送水口
３８  流量調整操作部
４１  制御ボックス
５０  フリースペース
【図１】
2005178018.tif 000003
【図２】
2005178018.tif 000004
【図３】
2005178018.tif 000005
【図４】
2005178018.tif 000006
【図５】
2005178018.tif 000007
【図６】
2005178018.tif 000008
【図７】
2005178018.tif 000009
【図８】
2005178018.tif 000010
【図９】
2005178018.tif 000011
【図１０】
2005178018.tif 000012
【図１１】
2005178018.tif 000013